(57)【要約】【課題】シリンジ筒が用いられて血液の遠心分離が行われる際にシリンジ筒の座屈変形の発生とシリンジ筒の先端側のゴムキャップの脱落とを防止することができる、遠心分離用アダプタを提供する。【解決手段】遠心分離用アダプタ１１は、先端支持部１１ｂと段状部分支持部１１ｃとを備える。先端支持部１１ｂは、ゴムキャップ１３の端部に当接するとともに、バケット１００内においてゴムキャップ１３を介してシリンジ筒１２を支持する。段状部分支持部１１ｃは、血液の遠心分離が行われる際の遠心力によるゴムキャップ１３及びシリンジ筒１２の弾性変形に伴って、シリンジ筒１２において先端側に向かって段状に縮径して形成された段状部分１２ａに対して当接可能にバケット１００内に配置されて段状部分１２ｂにおいてシリンジ筒１２を支持する。【選択図】        図１
0003159874.tif 000002
【実用新案登録請求の範囲】
【請求項１】
遠心分離装置のロータに取り付けられるバケット内に配置され、筒状に形成されて先端側にゴムキャップが取り付けられるとともに内部に血液が封入される樹脂製のシリンジ筒を支持するための遠心分離用アダプタであって、
前記ゴムキャップの端部に当接するとともに、前記バケット内において前記ゴムキャップを介して前記シリンジ筒を支持する先端支持部と、
血液の遠心分離が行われる際の遠心力による前記ゴムキャップ及び前記シリンジ筒の弾性変形に伴って、前記シリンジ筒において先端側に向かって段状に縮径して形成された段状部分に対して当接可能に前記バケット内に配置されて当該段状部分において当該シリンジ筒を支持する段状部分支持部と、
を備えていることを特徴とする、遠心分離用アダプタ。
【請求項２】
請求項１に記載の遠心分離用アダプタであって、
前記先端支持部及び前記段状部分支持部は、一体に形成されていることを特徴とする、遠心分離用アダプタ。
【請求項３】
請求項２に記載の遠心分離用アダプタであって、
筒状に形成されて前記バケットの内周の内側に配置されるとともに前記シリンジ筒の周壁を囲むように配置される筒状部を更に備え、
前記先端支持部と前記段状部分支持部と前記筒状部とが、一体に形成されていることを特徴とする、遠心分離用アダプタ。
【請求項４】
請求項２に記載の遠心分離用アダプタであって、
筒状に形成されて前記バケットの内周の内側に配置されるとともに前記シリンジ筒の周壁を囲むように配置される筒状部を更に備え、
前記先端支持部及び前記段状部分支持部を構成する部分と、前記筒状部を構成する部分とが、別体に形成されて組み合わされることを特徴とする、遠心分離用アダプタ。
【請求項５】
請求項１乃至請求項４のいずれか１項に記載の遠心分離用アダプタであって、
血液の遠心分離が行われる前の状態であって前記バケット内において前記シリンジ筒を支持した状態において、前記段状部分と前記段状部分支持部との間に隙間が形成されるように設計されていることを特徴とする、遠心分離用アダプタ。
【請求項６】
請求項３に記載の遠心分離用アダプタであって、
前記段状部分支持部は、前記筒状部に連続して形成された部分において当該筒状部の内周に沿って周方向に延びるとともに、当該筒状部の内周に対して径方向における内側に向かって段状に縮径する部分を有して形成されていることを特徴とする、遠心分離用アダプタ。
【請求項７】
請求項１乃至請求項６のいずれか１項に記載の遠心分離用アダプタと、
筒状に形成されるとともに内部に血液が封入され、遠心分離装置のロータに取り付けられるバケット内において前記遠心分離用アダプタによって支持されるシリンジ筒と、
前記シリンジ筒の先端側に取り付けられるゴムキャップと、
を備えていることを特徴とする、遠心分離用デバイス。
【考案の詳細な説明】
【技術分野】
【０００１】
本考案は、遠心分離装置のロータに取り付けられるバケット内に配置され、筒状に形成されて先端側にゴムキャップが取り付けられるとともに内部に血液が封入される樹脂製のシリンジを支持するための遠心分離用アダプタ、及びその遠心分離用アダプタを備える遠心分離用デバイスに関する。
【背景技術】
【０００２】
従来より、血液中の成分を遠心分離装置を用いて分離した後に遠心分離された所定の成分を取り出す作業がよく行われている。この場合、筒状に形成されるとともに先端側に向かって段状に縮径して形成された段状部分を有する樹脂製のシリンジ筒を有するシリンジが用いられる場合がある。このシリンジ筒は、その先端側にゴムキャップが取り付けられるとともに内部に血液が封入され、遠心分離装置のロータに取り付けられるバケット内に配置される。そして、ロータが回転することで血液の遠心分離が行われる。尚、このとき、シリンジ筒は、その先端側が、回転するロータにおける径方向外側に位置するように、配置される。そして、遠心分離が終了すると、上記の段状部分を介して細く縮径して形成されたシリンジ筒の先端側（針が取り付けられる側）のポートを通じて、遠心分離された所定の血液成分が取り出されることになる。
【０００３】
上記のように、血液が封入されたシリンジ筒がバケット内に配置されて遠心分離が行われる際には、バケット内においてシリンジ筒を支持するための遠心分離用アダプタが用いられる。尚、特許文献１には、遠心分離装置のロータに取り付けられるバケット内に装着されて試料管を収容保持する遠心分離用アダプタが開示されている。この遠心分離用アダプタは、筒状体と、この筒状体におけるバケットの底に当接する位置に対応する端部の内周面に嵌合する底クッションと、を備えて構成されている。
【０００４】
先端側にゴムキャップが取り付けられるとともに内部に血液が封入されたシリンジ筒がバケット内に配置されて遠心分離が行われる場合においても、特許文献１に開示されたものと同様に構成されたような遠心分離用アダプタが用いられる。そして、このような遠心分離用アダプタによって、先端側にゴムキャップが取り付けられて血液が封入されたシリンジ筒が、バケット内で支持されることになる。
【先行技術文献】
【特許文献】
【０００５】
【特許文献１】実用新案登録第２５０９７００号公報
【考案の概要】
【考案が解決しようとする課題】
【０００６】
シリンジ筒内に封入された血液の遠心分離が行われる場合には、先端側にゴムキャップが取り付けられたシリンジ筒が、遠心分離中のバケット内において遠心力が作用した状態で遠心分離用アダプタによって支持されることになる。この場合、遠心分離用アダプタに対して先端側のゴムキャップで支持されていると、遠心力が加わるシリンジ筒に対して遠心分離用アダプタから作用する反作用の力（遠心力の反作用の力）は、先端側のゴムキャップを介してシリンジ筒に作用することになる。このため、先端側に向かって段状に縮径して形成された段状部分を有するシリンジ筒においては、遠心分離中には、この段状部分における径方向の内側で細く筒状に形成された部分の根元側において、遠心力の反作用の力による応力が集中し、座屈変形が生じ易くなってしまう虞がある。
【０００７】
一方、遠心分離用アダプタに対してシリンジ筒の段状部分が当接していると、遠心力が加わるシリンジ筒に対して遠心分離用アダプタから作用する反作用の力（遠心力の反作用の力）は、段状部分においてシリンジ筒に作用することになる。そして、シリンジ筒の先端側に取り付けられたゴムキャップには、シリンジ筒から脱落して外れる方向に遠心力が作用するとともに、ゴムキャップとシリンジ筒との間の摩擦力が遠心力の反作用として生じることになる。このため、遠心分離中に十分な摩擦力が確保されない場合は、ゴムキャップはシリンジ筒から脱落して外れてしまう虞がある。
【０００８】
尚、上述したようなシリンジ筒の座屈変形やゴムキャップの脱落は、とくに、遠心分離の際に角速度条件が大きな値に設定されて大きな遠心力が負荷されるような場合に、生じ易くなることになる。例えば、血液から多血小板血漿（ＰＲＰ）を分離する場合に、このような大きな遠心力が負荷される遠心分離が行われるため、シリンジ筒の座屈変形やゴムキャップの脱落が生じ易くなる虞がある。
【０００９】
本考案は、上記実情に鑑みることにより、シリンジ筒が用いられて血液の遠心分離が行われる際にシリンジ筒の座屈変形の発生とシリンジ筒の先端側のゴムキャップの脱落とを防止することができる遠心分離用アダプタを提供することを目的とし、また、その遠心分離用アダプタを備える遠心分離用デバイスを提供することを目的とする。
【課題を解決するための手段】
【００１０】
上記目的を達成するための第１考案に係る遠心分離用アダプタは、遠心分離装置のロータに取り付けられるバケット内に配置され、筒状に形成されて先端側にゴムキャップが取り付けられるとともに内部に血液が封入される樹脂製のシリンジ筒を支持するための遠心分離用アダプタに関する。そして、第１考案に係る遠心分離用アダプタは、前記ゴムキャップの端部に当接するとともに、前記バケット内において前記ゴムキャップを介して前記シリンジ筒を支持する先端支持部と、血液の遠心分離が行われる際の遠心力による前記ゴムキャップ及び前記シリンジ筒の弾性変形に伴って、前記シリンジ筒において先端側に向かって段状に縮径して形成された段状部分に対して当接可能に前記バケット内に配置されて当該段状部分において当該シリンジ筒を支持する段状部分支持部と、を備えていることを特徴とする。
【００１１】
この考案によると、遠心分離用アダプタが遠心分離装置のバケット内に配置され、このバケット内において、遠心分離用アダプタに対して、先端側にゴムキャップが取り付けられて血液が封入されたシリンジ筒が支持される。そして、血液の遠心分離が行われる際には、シリンジ筒の先端側は、ゴムキャップを介してシリンジ筒における先端支持部に当接して支持される。また、シリンジ筒の段状部分は、遠心力によるゴムキャップ及びシリンジ筒の弾性変形に伴って、段状部分支持部に対して当接して支持される。このため、遠心力が加わるシリンジ筒に対して遠心分離用アダプタから作用する遠心力の反作用の力は、シリンジ筒における先端側と段状部分とに分担された状態で作用することになる。これにより、シリンジ筒において段状部分における径方向の内側で細く筒状に形成された部分の根元側に遠心力の反作用の力による応力が集中してしまうことが抑制され、シリンジ筒の座屈変形の発生を防止することができる。更に、シリンジ筒の先端側に取り付けられたゴムキャップが遠心分離用アダプタに当接して支持されるため、ゴムキャップがシリンジ筒から脱落して外れてしまうことを防止することができる。
【００１２】
従って、本考案によると、シリンジ筒が用いられて血液の遠心分離が行われる際にシリンジ筒の座屈変形の発生とシリンジ筒の先端側のゴムキャップの脱落とを防止することができる遠心分離用アダプタを提供することができる。
【００１３】
第２考案に係る遠心分離用アダプタは、第１考案の遠心分離用アダプタにおいて、前記先端支持部及び前記段状部分支持部は、一体に形成されていることを特徴とする。
【００１４】
この考案によると、先端支持部及び段状部分支持部が一体に形成されるため、構成部品点数を少なくできるとともに、バケット内への遠心分離用アダプタの容易且つ速やかな配置が可能となることによる遠心分離用アダプタの配置作業の効率化を図ることができる。
【００１５】
第３考案に係る遠心分離用アダプタは、第２考案の遠心分離用アダプタにおいて、筒状に形成されて前記バケットの内周の内側に配置されるとともに前記シリンジ筒の周壁を囲むように配置される筒状部を更に備え、前記先端支持部と前記段状部分支持部と前記筒状部とが、一体に形成されていることを特徴とする。
【００１６】
この考案によると、バケット内でシリンジ筒の周囲を囲むように配置される筒状部が設けられるため、バケット内において遠心分離用アダプタによって更に安定してシリンジ筒が支持されることになる。そして、先端支持部及び段状部分支持部に対して筒状部も一体に形成されるため、構成部品点数を最小化できるとともに、バケット内への遠心分離用アダプタの配置作業の更なる効率化を図ることができる。
【００１７】
第４考案に係る遠心分離用アダプタは、第２考案の遠心分離用アダプタにおいて、筒状に形成されて前記バケットの内周の内側に配置されるとともに前記シリンジ筒の周壁を囲むように配置される筒状部を更に備え、前記先端支持部及び前記段状部分支持部を構成する部分と、前記筒状部を構成する部分とが、別体に形成されて組み合わされることを特徴とする。
【００１８】
この考案によると、バケット内でシリンジ筒の周囲を囲むように配置される筒状部が設けられるため、バケット内において遠心分離用アダプタによって更に安定してシリンジ筒が支持されることになる。そして、先端支持部及び段状部分支持部を構成する部分と筒状部を構成する部分とが別体で組み合わされて遠心分離用アダプタが構成される。このため、上記のそれぞれの部分について別々に形成できるため、遠心分離用アダプタの設計及び製造の際における自由度を向上させることができる。また、先端支持部及び段状部分支持部を構成する部分については、シリンジ筒の座屈変形の防止及びゴムキャップの脱落の防止の観点で硬度等の条件が望ましい材料を選定し、筒状部を構成する部分については、シリンジ筒の安定支持の観点から上記とは異なる材料を選定することもできる。
【００１９】
第５考案に係る遠心分離用アダプタは、第１考案乃至第４考案のいずれかの遠心分離用アダプタにおいて、血液の遠心分離が行われる前の状態であって前記バケット内において前記シリンジ筒を支持した状態において、前記段状部分と前記段状部分支持部との間に隙間が形成されるように設計されていることを特徴とする。
【００２０】
この考案によると、遠心分離用アダプタは、血液の遠心分離が行われる前の状態において段状部分と段状部分支持部との間に隙間が形成されるように設計されている。このため、遠心分離が行われる前の状態ではシリンジ筒の先端側のみが先端支持部で支持され、遠心力によるゴムキャップ及びシリンジ筒の弾性変形に伴って段状部分が段状部分支持部に対して当接して支持される構成を確実に実現することができる。これにより、シリンジ筒に対して遠心分離用アダプタから作用する遠心力の反作用の力をシリンジ筒における先端側と段状部分とに確実に分担した状態で作用させることができる。
【００２１】
第６考案に係る遠心分離用アダプタは、第３考案の遠心分離用アダプタにおいて、前記段状部分支持部は、前記筒状部に連続して形成された部分において当該筒状部の内周に沿って周方向に延びるとともに、当該筒状部の内周に対して径方向における内側に向かって段状に縮径する部分を有して形成されていることを特徴とする。
【００２２】
この考案によると、段状部分支持部が、筒状部の内周から内側に向かって段状に縮径するとともに周方向に延びる部分を有して形成される。このため、筒状部と一体に形成されて効率よくシリンジ筒の段状部分を支持することができる段状部分支持部を有する遠心分離用アダプタを簡素な構成で実現することができる。
【００２３】
また、他の観点の考案として、上述したいずれかの遠心分離用アダプタを備える遠心分離用デバイスの考案を構成することもできる。即ち、第７考案に係る遠心分離用アダプタは、第１考案乃至第６考案のいずれかの遠心分離用アダプタと、筒状に形成されるとともに内部に血液が封入され、遠心分離装置のロータに取り付けられるバケット内において前記遠心分離用アダプタによって支持されるシリンジ筒と、前記シリンジ筒の先端側に取り付けられるゴムキャップと、を備えていることを特徴とする。
【００２４】
この考案によると、シリンジ筒が用いられて血液の遠心分離が行われる際にシリンジ筒の座屈変形の発生とシリンジ筒の先端側のゴムキャップの脱落とを防止することができる遠心分離用デバイスを提供することができる。
【考案の効果】
【００２５】
本考案によると、シリンジ筒が用いられて血液の遠心分離が行われる際にシリンジ筒の座屈変形の発生とシリンジ筒の先端側のゴムキャップの脱落とを防止することができる。
【図面の簡単な説明】
【００２６】
【図１】本考案の一実施の形態に係る遠心分離用デバイスについてバケットとともに示す一部断面を含む図である。
【図２】図１に示す遠心分離用デバイスを示す一部断面を含む図である。
【図３】図１に示す遠心分離用デバイスにおける遠心分離用アダプタを示す断面図である。
【図４】図１に示す遠心分離用デバイスの作動を説明する断面図である。
【図５】比較例に係る遠心分離用デバイスについて説明する図である。
【図６】比較例に係る遠心分離用デバイスについて説明する図である。
【図７】比較例に係る遠心分離用デバイスについて説明する図である。
【図８】比較例に係る遠心分離用デバイスについて説明する図である。
【図９】変形例に係る遠心分離用デバイスについてバケットとともに示す一部断面を含む図である。
【考案を実施するための形態】
【００２７】
以下、本考案を実施するための形態について図面を参照しつつ説明する。本考案は、遠心分離装置のロータに取り付けられるバケット内に配置され、先端側にゴムキャップが取り付けられるとともに内部に血液が封入される樹脂製のシリンジ筒を支持するための遠心分離用アダプタ、及びその遠心分離用アダプタを備える遠心分離用デバイスとして、広く適用することができるものである。
【００２８】
図１は、本考案の一実施の形態に係る遠心分離用デバイス１についてバケット１００とともに示す一部断面を含む図である。また、図２は、遠心分離用デバイス１を示す一部断面を含む図である。図１及び図２に示すように、遠心分離用デバイス１は、遠心分離用アダプタ１１と、シリンジ筒１２と、ゴムキャップ１３と、シリンジ筒１２の内側に配置されるガスケット１４と、を備えて構成されている。尚、図１及び図２では、シリンジ筒１２及びゴムキャップ１３については外形を図示しており、遠心分離用アダプタ１１については断面を図示している。また、図１及び図２では、シリンジ筒１２については、その一部を省略して図示している。
【００２９】
遠心分離用デバイス１は、図示しない遠心分離装置のロータに取り付けられるバケット１００において保持され（図１参照）、遠心分離装置の作動により、ロータ（図示せず）とともに回転する。これにより、遠心分離用デバイス１のシリンジ筒１２内に封入された遠心分離対象である血液の遠心分離が行われる。尚、バケット１００は、一方の端部が半球状の丸底部分として形成されるとともに円筒状に延びるように設けられている。そして、バケット１００における他方の端部は開口形成されており、この開口から遠心分離用デバイス１が挿入される。また、バケット１００における他方の端部にはフランジ部１００ａが形成され、このフランジ部１００ａにおいて、バケット１００が図示しないロータに取り付けられる。
【００３０】
シリンジ筒１２は、円筒状に形成されており、例えば、採血用のディスポーザブル品のシリンジにおける外筒として用いられた後に、採血時に吸引されてそのまま内部に封入された血液を遠心分離するための容器として構成されている。そして、シリンジ筒１２は、内部に血液が封入された状態で、バケット１００内において後述する遠心分離用アダプタ１１によって支持される。
【００３１】
また、シリンジ筒１２は、樹脂製であり、例えば、ポリプロピレンの成形品として設けられている。このシリンジ筒１２には、キャップ取付部１２ａ及び段状部分１２ｂが形成されている。
【００３２】
キャップ取付部１２ａは、シリンジ筒１２の先端側における細く筒状に形成された部分として設けられており、ゴムキャップ１３が取り付けられるように構成されている。このキャップ取付部１２ａには、シリンジ筒１２の内部に連通するポートが形成されている。このポートを血液が通過することで、シリンジ筒１２内に対する血液の吸引及び排出が行われる。尚、シリンジ筒１２が採血用のシリンジの外筒として用いられる際には、採血針（図示せず）がこのキャップ取付部１２ａに取り付けられることになる。
【００３３】
段状部分１２ｂは、シリンジ筒１２において先端側に向かって段状に縮径して形成された部分として設けられている。尚、本実施形態では、段状部分１２ｂは、シリンジ筒１２における大径の円筒部分である周壁１２ｃから先端側の小径の円筒部分であるキャップ取付部１２ａに向かって、円錐曲面の一部を成すようにテーパ状に窄まりながら縮径して段状に形成された部分として設けられている。尚、周壁１２ｃにおけるキャップ取付部１２ａと反対側の端部は、縮径することなく円筒状に開口するよう形成され、この開口からガスケット１４が挿入される。
【００３４】
ゴムキャップ１３は、ゴム製で、例えば、略円柱状に形成され、シリンジ筒１２のキャップ取付部１２ａに対して取り付けられるように構成されている。このゴムキャップ１３には、一方の端部において、キャップ取付部１２ａの径寸法に対応した径寸法に設定された円形断面の取付用穴１３ａが形成されている。この取付用穴１３ａにキャップ取付部１２ａが嵌め込まれることで、シリンジ筒１２の先端側にゴムキャップ１３が取り付けられ、シリンジ筒１２の先端側のポートが封止されることになる。
【００３５】
ガスケット１４は、例えば、ゴム製で円柱状に形成され、シリンジ筒１２の内周に対して摺接可能な状態で密着してシリンジ筒１２内を液密に封止するように構成されている。このガスケット１４は、円筒形状のシリンジ筒１２の内側に配置される。
【００３６】
尚、シリンジ筒１２及びガスケット１４が採血に用いられる際には、ガスケット１４に対して図示しないプランジャが取り付けられ、ガスケット１４に取り付けられた状態のプランジャが、ガスケット１４とともにシリンジ筒１２の内部に挿入される。そして、採血の際には、プランジャがシリンジ筒１２に対してこのシリンジ筒１２から引き出される方向に相対変位するように操作されることで、血液がシリンジ筒１２内に吸引されることになる。また、このプランジャは、ガスケット１４に対して着脱自在に構成されている。そして、シリンジ筒１２が遠心分離用デバイス１の構成要素として血液の遠心分離に用いられる際には、ガスケット１４がシリンジ筒１２内に装着されてシリンジ筒１２内に血液が封入された状態のまま、プランジャがガスケット１４から取り外されることになる。
【００３７】
図３は、遠心分離用アダプタ１１（以下、単に「アダプタ１１」ともいう）を示す断面図である。図１乃至図３に示すアダプタ１１は、バケット１００内に配置されてシリンジ筒１２を支持するための本実施形態に係る遠心分離用アダプタとして設けられている。このアダプタ１１は、筒状部１１ａと、先端支持部１１ｂと、段状部分支持部１１ｃと、を備えて構成され、例えば、硬質の樹脂材料により形成されている。そして、筒状部１１ａと先端支持部１１ｂと段状部分支持部１１ｃとは、一体に形成されている。尚、アダプタ１１の素材は、樹脂材料でなくてもよく、金属材料等の他の材料であってもよい。
【００３８】
筒状部１１ａは、円筒状に形成されており、バケット１００の内周の内側に配置されるとともにシリンジ筒１２の周壁１２ａを囲むように配置される。筒状部１１ａにおける一方の端部は、段状部分支持部１１ｃに連続して形成されており、段状部分支持部１１ｃ及び先端支持部１１ａと一体に形成されている。また、筒状部１１ａにおける他方の端部は、縮径することなく円筒状に開口するように形成されている。そして、先端側にゴムキャップ１３が取り付けられてこのゴムキャップ１３とガスケット１４とによって封止されて血液が封入された状態のシリンジ筒１２が、アダプタ１１に対して、筒状部１１ａの他方の端部における開口から挿入される。尚、筒状部１１ａの内周の直径寸法とシリンジ筒１２の周壁１２ａの外周の直径寸法とについては、筒状部１１ａとシリンジ筒１２とが摺接するように設定されていてもよく、また、筒状部１１ａとシリンジ筒１２との間に隙間が形成されるように設定されていてもよい。
【００３９】
先端支持部１１ｂは、アダプタ１１の内部における底部分を構成するとともに平坦な面を有するように形成され、シリンジ筒１２の先端側に取り付けられたゴムキャップ１３における取付用穴１３ａが開口する側と反対側の端部に当接する部分として設けられている。そして、この先端支持部１１ｂは、上記の平坦な面に対してシリンジ筒１２に取り付けられたゴムキャップ１３が当接することで、このゴムキャップ１３を介してシリンジ筒１２を支持するように構成されている。
【００４０】
段状部分支持部１１ｃは、筒状部１１ａと先端支持部１１ｂとを一体に連結する部分として設けられている。そして、段状部分支持部１１ｃは、筒状部１１ａに連続して形成された部分において筒状部１１ａの内周に沿って周方向に延びるとともに、筒状部１１ａの内周に対して径方向における内側に向かって段状に縮径する部分を有して形成されている。尚、本実施形態では、段状部分支持部１１ｃは、筒状部１１ａの端部から先端支持部１１ｃ側に向かって、円錐曲面の一部を成すようにテーパ状に窄まりながら縮径して段状に形成された部分として設けられている。また、アダプタ１１における段状部分支持部１１ｃから先端支持部１１ｂにかけての部分は、ゴムキャップ１３が配置される凹み部分として形成されている。
【００４１】
また、アダプタ１１は、血液の遠心分離が行われる前の状態であってバケット１００内においてシリンジ筒１２を支持した状態（図１に示す状態）において、シリンジ筒１２の段状部分１２ｂと段状部分支持部１１ｃとの間に隙間Ｇが形成されるように設計されている。そして、段状部分支持部１１ｃは、血液の遠心分離が行われる際の遠心力によるゴムキャップ１３及びシリンジ筒１２の弾性変形に伴ってシリンジ筒１２の段状部分１２ｂに対して当接可能にバケット１００内に配置されて、ゴムキャップ１３及びシリンジ筒１２の上記の弾性変形によって段状部分１２ｂが段状部分支持部１１ｃに当接することで、血液の遠心分離中にシリンジ筒１２を段状部分１２ｂにおいて支持するように構成されている。
【００４２】
次に、本実施形態に係る遠心分離用デバイス１及び遠心分離用アダプタ１１の作動について説明する。シリンジ筒１２とガスケット１４とプランジャ（図示せず）と備えて構成されたシリンジによって採血が行われると、採血針がシリンジ筒１２のキャップ取付部１２ａから取り外される。そして、キャップ取付部１２ａに対してゴムキャップ１３が取付用穴１３ａにおいて嵌合して取り付けられる。また、シリンジ筒１２内に配置されたガスケット１４からプランジャが取り外される。これにより、シリンジ筒１２がゴムキャップ１３とガスケット１４とによって封止されて、シリンジ筒１２内に血液が封入された状態となる。
【００４３】
一方、遠心分離装置のロータに取り付けられたバケット１００に対しては、その内側に挿入されるようにしてアダプタ１１が装着される。そして、先端側にゴムキャップ１３が取り付けられるとともに内部に血液が封入されたシリンジ筒１２が、バケット１００内に配置されたアダプタ１１の筒状部１１ａに対して挿入されて支持される。
【００４４】
図４は、バケット１００内においてシリンジ筒１２がアダプタ１１によって支持されている状態における一部拡大断面図であり、血液の遠心分離が行われる前の状態の断面を示す一部拡大断面図（図４（ａ））と、血液の遠心分離が行われている状態の断面を示す一部拡大断面図（図４（ｂ））とを示している。遠心分離が行われる前の状態（図４（ａ）に示す状態）では、シリンジ筒１２は、ゴムキャップ１３を介してアダプタ１１の先端支持部１１ｂに当接して支持されている。一方、シリンジ筒１２の段状部分１２ｂとアダプタ１１の段状部分支持部１１ｃとの間には、隙間Ｇが形成されている。尚、この状態では、シリンジ筒１２内に封入された血液１０１は、全血であり、赤血球、白血球、血小板、血漿などが含まれている。
【００４５】
図４（ａ）に示す状態から、遠心分離装置のロータが回転することで、血液１００の遠心分離が行われ、遠心分離用デバイス１及び血液１００の状態が図４（ｂ）に示す状態に移行することになる。尚、図４（ｂ）は、遠心分離時間が十分に経過した遠心分離中の状態の断面を示している。
【００４６】
図４（ｂ）に示す状態では、シリンジ筒１２及びその内部の血液１０１に対しては、図中矢印Ｆで示すように、シリンジ筒１２の先端側に向かう方向の遠心力が作用している。この遠心力により、ゴムキャップ１３及びシリンジ筒１２が弾性変形し、シリンジ筒１２の段状部分１２ｂがアダプタ１１の段状部分支持部１１ｃに当接して支持された状態となる。このため、遠心力が加わるシリンジ筒１２に対してアダプタ１１から作用する遠心力の反作用の力は、シリンジ筒１２における先端側と段状部分１２ｂとに分担された状態で作用することになる。
【００４７】
尚、遠心分離時間が十分に経過すると、比重の違いに応じて血液１０１における成分が分離されることになる。図４（ｂ）では、血液１０１が、白血球及び血小板を含む血漿１０１ａと赤血球画分１０１ｂとに分離された状態を例示している。
【００４８】
ここで、比較例に係る遠心分離用デバイスについて、図５乃至図８を参照しながら説明する。図５及び図６に示す比較例に係る遠心分離用デバイスは、遠心分離用アダプタ１１とは構成が異なる遠心分離用アダプタ２１（以下、単に「アダプタ２１」という）を備えて構成されている。一方、図７及び図８に示す比較例に係る遠心分離用デバイスは、遠心分離用アダプタ１１とは構成が異なる遠心分離用アダプタ２２（以下、単に「アダプタ２２」という）を備えて構成されている。尚、上記の比較例に係る遠心分離用デバイスにおいて、アダプタ（２１、２２）以外の構成については、遠心分離用デバイス１と同様に構成されているため、図面において同一の符号を付して説明を省略する。
【００４９】
図５に示すアダプタ２１は、段状部分支持部が設けられておらず、円筒状の筒状部２１ａと、ゴムキャップ１３に対して当接してこのゴムキャップ１３を介してシリンジ筒１２を支持する底部２１ｂと、が設けられている。これにより、シリンジ筒１２は、遠心力が作用する方向においては、アダプタ２１に対して先端側のみでゴムキャップ１３を介して支持された状態となる。
【００５０】
図６は、図５に示す比較例に係る遠心分離用デバイスを用いて遠心分離が行われた状態を示している。アダプタ２１に対して先端側のゴムキャップ１３のみで支持されていると、遠心力が加わるシリンジ筒１２に対してアダプタ２１から作用する反作用の力（遠心力の反作用の力）は、先端側のゴムキャップ１３を介してシリンジ筒１２に作用することになる。このため、段状部分１２ｂを有するシリンジ筒１２においては、遠心分離中には、この段状部分１２ｂにおける径方向の内側で細く筒状に形成されたキャップ取付部１２ｂの根元側において、遠心力の反作用の力による応力が集中することになる。これにより、図６に示すように、応力が集中した箇所でシリンジ筒１２に座屈変形が生じ、シリンジ筒１２が破損して、血液の遠心分離ができないことになる虞がある。
【００５１】
一方、図７に示すアダプタ２２は、先端支持部が設けられておらず、円筒状の筒状部２２ａと、ゴムキャップ１３に対して当接しない底部２２ｂと、段状に縮径する部分を有するよう形成されるとともに段状部分１２ｂに当接してシリンジ筒１２を支持する段部２２ｃと、が設けられている。これにより、シリンジ筒１２は、遠心力が作用する方向においては、アダプタ２２に対して段状部分１２ｂのみで支持された状態となる。
【００５２】
図８は、図７に示す比較例に係る遠心分離用デバイスを用いて遠心分離が行われた状態を示している。アダプタ２２に対して段部２２ｃのみで支持されていると、遠心力が加わるシリンジ筒１２に対してアダプタ２２から作用する反作用の力（遠心力の反作用の力）は、段状部分１２ｂにおいてシリンジ筒１２に作用することになる。そして、シリンジ筒１２の先端側に取り付けられたゴムキャップ１３には、キャップ取付部１２ａから脱落して外れる方向に遠心力が作用するとともに、ゴムキャップ１３の取付用穴１３ａの内周とシリンジ筒１２のキャップ取付部１２ａの外周との間の摩擦力が遠心力の反作用として生じることになる。このため、遠心分離中に十分な摩擦力が確保されない場合は、図８に示すように、ゴムキャップ１３がシリンジ筒１２から脱落して外れてしまい、血液の漏洩が起こって、血液の遠心分離ができないことになる虞がある。
【００５３】
しかしながら、本実施形態によると、アダプタ１１が遠心分離装置のバケット１００内に配置され、このバケット１００内において、アダプタ１１に対して、先端側にゴムキャップ１３が取り付けられて血液が封入されたシリンジ筒１２が支持される。そして、血液の遠心分離が行われる際には、シリンジ筒１２の先端側は、ゴムキャップ１３を介してシリンジ筒１２における先端支持部１１ｂに当接して支持される。また、シリンジ筒１２の段状部分１２ｂは、遠心力によるゴムキャップ１３及びシリンジ筒１２の弾性変形に伴って、段状部分支持部１１ｃに対して当接して支持される。このため、遠心力が加わるシリンジ筒１２に対してアダプタ１１から作用する遠心力の反作用の力は、シリンジ筒１２における先端側と段状部分１２ｂとに分担された状態で作用することになる。これにより、シリンジ筒１２において段状部分１２ｂにおける径方向の内側で細く筒状に形成された部分の根元側に遠心力の反作用の力による応力が集中してしまうことが抑制され、シリンジ筒１２の座屈変形の発生を防止することができる。更に、シリンジ筒１２の先端側に取り付けられたゴムキャップ１３がアダプタ１１に当接して支持されるため、ゴムキャップ１３がシリンジ筒１２から脱落して外れてしまうことを防止することができる。
【００５４】
従って、遠心分離用デバイス１及び遠心分離用アダプタ１１によると、シリンジ筒１２が用いられて血液の遠心分離が行われる際にシリンジ筒１２の座屈変形の発生とシリンジ筒１２の先端側のゴムキャップ１３の脱落とを防止することができる。
【００５５】
また、遠心分離用デバイス１及び遠心分離用アダプタ１１によると、先端支持部１１ｂ及び段状部分支持部１１ｃが一体に形成されるため、構成部品点数を少なくできるとともに、バケット１００内へのアダプタ１１の容易且つ速やかな配置が可能となることによるアダプタ１１の配置作業の効率化を図ることができる。
【００５６】
また、遠心分離用デバイス１及び遠心分離用アダプタ１１によると、バケット１００内でシリンジ筒１２の周囲を囲むように配置される筒状部１１ａが設けられるため、バケット１００内においてアダプタ１１によって更に安定してシリンジ筒１２が支持されることになる。そして、先端支持部１１ｂ及び段状部分支持部１１ｃに対して筒状部１１ａも一体に形成されるため、構成部品点数を最小化できるとともに、バケット１００内へのアダプタ１１の配置作業の更なる効率化を図ることができる。
【００５７】
また、遠心分離用デバイス１及び遠心分離用アダプタ１１によると、アダプタ１１は、血液の遠心分離が行われる前の状態において段状部分１２ｂと段状部分支持部１１ｃとの間に隙間Ｇが形成されるように設計されている。このため、遠心分離が行われる前の状態ではシリンジ筒１２の先端側のみが先端支持部１１ｂで支持され、遠心力によるゴムキャップ１３及びシリンジ筒１２の弾性変形に伴って段状部分１２ｂが段状部分支持部１１ｃに対して当接して支持される構成を確実に実現することができる。これにより、シリンジ筒１２に対してアダプタ１１から作用する遠心力の反作用の力をシリンジ筒１２における先端側と段状部分１２ｂとに確実に分担した状態で作用させることができる。隙間Ｇの大きさはデバイスの寸法、ゴムキャップ１３とシリンジ筒１２の弾性率などを考慮して設計されるが、一般の１０〜２０ｍL容量のディスポーザブルシリンジの場合、０．１〜３ｍｍの範囲が好ましい。
【００５８】
また、遠心分離用デバイス１及び遠心分離用アダプタ１１によると、段状部分支持部１１ｃが、筒状部１１ａの内周から内側に向かって段状に縮径するとともに周方向に延びる部分を有して形成される。このため、筒状部１１ａと一体に形成されて効率よくシリンジ筒１２の段状部分１２ｂを支持することができる段状部分支持部１１ｃを有するアダプタ１１を簡素な構成で実現することができる。
【００５９】
以上、本考案の実施形態について説明したが、本考案は上述の実施の形態に限られるものではなく、実用新案登録請求の範囲に記載した限りにおいて様々な変更が可能なものである。例えば、次のように変更して実施してもよい。
【００６０】
前述の実施形態では、遠心分離用アダプタに筒状部が設けられている場合を例にとって説明したが、必ずしもこの通りでなくてもよく、筒状部が設けられていない遠心分離用アダプタを実施してもよい。また、先端支持部及び段状部分支持部の形状については、本実施形態で例示した形状に限らず、種々変更して実施してもよい。
【００６１】
前述の実施形態では、先端支持部と段状部分支持部と筒状部とが一体に形成されている遠心分離用アダプタを例にとって説明したが、必ずしもこの通りでなくてもよい。例えば、図９に示す変形例に係る遠心分離用アダプタ及びその遠心分離用アダプタを備える遠心分離用デバイスのように、先端支持部及び段状部分支持部を構成する部分と、筒状部を構成する部分とが、別体に形成されて組み合わされる形態の遠心分離用アダプタ及びその遠心分離用アダプタを備える遠心分離用デバイスを実施してもよい。
【００６２】
図９は、変形例に係る遠心分離用アダプタ１５（以下、単に「アダプタ１５」という）及びそのアダプタ１５を備える遠心分離用デバイス２を示す一部断面を含む図である。尚、図９に示す変形例に係る遠心分離用デバイス２においては、先端支持部１５ｂ及び段状部分支持部１５ｃを構成する部分と筒状部１５ａを構成する部分とが別体に形成されている点を除いて、前述の実施形態に係る遠心分離用デバイス１と同様に構成されるため、遠心分離用デバイス１の説明と同一の符号を図面において付すことで或いは遠心分離用デバイス１の説明を引用することで、重複する構成についての説明を省略する。
【００６３】
図９に示すアダプタ１５は、筒状部１５ａと、先端支持部１５ｂと、段状部分支持部１５ｃとを備えて構成されている。筒状部１５ａは、遠心分離用アダプタ１１の筒状部１１ａと同様の形状で同様に配置されて構成される。先端支持部１５ｂについても、遠心分離用アダプタ１１の先端支持部１１ｂと同様の形状で同様に配置されて構成される。段状部分支持部１５ｃについても、遠心分離用アダプタ１１の段状部分支持部１１ｃと同様の形状で同様に配置されて構成される。しかし、先端支持部１５ｂ及び段状部分支持部１５ｃを構成する部分は、一体の部材として形成されるが、筒状部１５ａを構成する部分とは別体の部材として形成されている。そして、段状部分支持部１５ｃの端部には、係合凸部１５ｄが形成されている。一方、筒状部１５ａの端部には、係合凸部１５ｄと係合して嵌り合う係合溝１５ｅが形成されている。アダプタ１５は、係合凸部１５ｄと係合溝１５ｅとが係合することで、先端支持部１５ｂ及び段状部分支持部１５ｃを構成する部分と筒状部１５ａを構成する部分とが組み合わされるように構成されている。尚、先端支持部１５ｂ及び段状部分支持部１５ｃを構成する部分と筒状部１５ａを構成する部分とを組合わせる形態については、係合凸部１５ｄ及び係合溝１５ｅの形態に限らず、種々変更して実施してもよい。
【００６４】
上記の変形例に係るアダプタ１５及び遠心分離用デバイス２によると、バケット１００内でシリンジ筒１２の周囲を囲むように配置される筒状部１５ａが設けられるため、バケット１００内においてアダプタ１５によって更に安定してシリンジ筒１２が支持されることになる。そして、先端支持部１５ｂ及び段状部分支持部１５ｃを構成する部分と筒状部１５ａを構成する部分とが別体で組み合わされてアダプタ１５が構成される。このため、上記のそれぞれの部分について別々に形成できるため、遠心分離用アダプタの設計及び製造の際における自由度を向上させることができる。また、先端支持部１５ｂ及び段状部分支持部１５ｃを構成する部分については、シリンジ筒１２の座屈変形の防止及びゴムキャップ１３の脱落の防止の観点で硬度等の条件が望ましい材料を選定し、筒状部１５ａを構成する部分については、シリンジ筒１２の安定支持の観点から上記とは異なる材料を選定することもできる。
【産業上の利用可能性】
【００６５】
本考案は、遠心分離装置のロータに取り付けられるバケット内に配置され、先端側にゴムキャップが取り付けられるとともに内部に血液が封入される樹脂製のシリンジ筒を支持するための遠心分離用アダプタ、及びその遠心分離用アダプタを備える遠心分離用デバイスとして、広く適用することができるものである。
【符号の説明】
【００６６】
１１                        遠心分離用アダプタ
１１ｂ                      先端支持部
１１ｃ                      段状部分支持部
１２                        シリンジ筒
１２ｂ                      段状部分
１３                        ゴムキャップ
１００                      バケット
【図１】
0003159874.tif 000003
【図２】
0003159874.tif 000004
【図３】
0003159874.tif 000005
【図４】
0003159874.tif 000006
【図５】
0003159874.tif 000007
【図６】
0003159874.tif 000008
【図７】
0003159874.tif 000009
【図８】
0003159874.tif 000010
【図９】
0003159874.tif 000011